【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  以下の式（Ｉ）を有する化合物、またはその薬学的に受容可能な塩もしくはプロドラッグであって：
【化１】
2002541237.tif 000001
ここで：
Ｒ1は、必要に応じて置換されたアルキルまたは水素であり；
Ｒ2は、水素または必要に応じて置換されたアルキルであり；
Ｒ3は、アルキル基、飽和炭素環式基、部分的に飽和な炭素環式基、アリール基、飽和複素環式基、部分的に飽和な複素環式基、またはヘテロアリール基であって、ここで、該基は必要に応じて置換されており；
Ｘは、Ｏ、Ｓ、ＮＲ4、または（ＣＲ4Ｒ5）nであり、ここで、Ｒ4およびＲ5は、各場合において、水素、アルキル、およびシクロアルキルからなる群より独立して選択され、そしてｎは、０、１、２、または３であるか；あるいは
Ｘは、ＮＲ4であり、そしてＲ3およびＲ4は、それらが結合している窒素原子と一緒になって、飽和複素環式基、部分的に飽和な複素環式基、またはヘテロアリール基を形成し、ここで、該基は必要に応じて置換されているか；あるいは
Ｘは、ＣＲ4Ｒ5であり、そしてＲ3およびＲ4は、それらが結合している炭素原子と一緒になって、飽和炭素環式基、部分的に飽和な炭素環式基、アリール基、飽和複素環式基、部分的に飽和な複素環式基、または酸素含有ヘテロアリール基を形成し、ここで、該基は必要に応じて置換されており；そして
Ｙは、天然または非天然のアミノ酸の残基であり；
ただし、ＸがＯである場合、Ｒ3は無置換ベンジルでもｔ−ブチルでもなく；そして、ＸがＣＨ2である場合、Ｒ3は水素ではないという条件である、
化合物またはその薬学的に受容可能な塩もしくはプロドラッグ。
【請求項２】  Ｒ1が水素、メチル、エチル、またはアセトキシメチルである、請求項１に記載の化合物またはその薬学的に受容可能な塩もしくはプロドラッグ。
【請求項３】  Ｒ2が水素、フルオロメチル、アシルオキシメチル、アリールアシルオキシメチル、アリールオキシメチル、ホスフィニルオキシメチル、またはアミノメチルである、請求項１に記載の化合物またはその薬学的に受容可能な塩もしくはプロドラッグ。
【請求項４】  Ｙがバリン、イソロイシン、ロイシン、アラニン、フェニルアラニン、シクロヘキシルアラニン、２−アミノ酪酸、フェニルグリシン、またはシクロヘキシルグリシンである、請求項１に記載の化合物またはその薬学的に受容可能な塩もしくはプロドラッグ。
【請求項５】  請求項１に記載の化合物またはその薬学的に受容可能な塩もしくはプロドラッグであって、ここで：
Ｒ3は、必要に応じて置換されたアルキル、Ｃ4−Ｃ7シクロアルキル、飽和複素環式、部分的に飽和な複素環式、アリール、またはヘテロアリールであり；そして
Ｘは、Ｏ、Ｓ、ＮＲ4、または（ＣＲ4Ｒ5）nであり、ここで、Ｒ4およびＲ5は、独立して、水素、アルキル、またはシクロアルキルであり、そしてｎは、０、１、２、または３である、
化合物またはその薬学的に受容可能な塩もしくはプロドラッグ。
【請求項６】  ＸがＯ、ＮＨ、またはＣＨ2である、請求項１に記載の化合物またはその薬学的に受容可能な塩もしくはプロドラッグ。
【請求項７】  Ｒ3が直鎖状もしくは分枝状のＣ1-6アルキルである、請求項１に記載の化合物またはその薬学的に受容可能な塩もしくはプロドラッグ。
【請求項８】  請求項１に記載の化合物またはその薬学的に受容可能な塩もしくはプロドラッグであって、ここで、Ｒ3は、ヒドロキシ、カルボキシ、ハロゲン、Ｃ4−Ｃ7シクロアルキル、飽和もしくは不飽和な複素環式基、アリール、またはヘテロアリールによって必要に応じて置換された、直鎖状もしくは分枝状のＣ1-6アルキルである、化合物またはその薬学的に受容可能な塩もしくはプロドラッグ。
【請求項９】  Ｒ3が必要に応じて置換されたベンジルである、請求項１に記載の化合物またはその薬学的に受容可能な塩もしくはプロドラッグ。
【請求項１０】  Ｒ3が必要に応じて置換されたピリジルメチルである、請求項１に記載の化合物またはその薬学的に受容可能な塩もしくはプロドラッグ。
【請求項１１】  Ｒ3−Ｘ−Ｃ（Ｏ）−が抗酸化基である、請求項１に記載の化合物またはその薬学的に受容可能な塩もしくはプロドラッグ。
【請求項１２】  前記抗酸化基が以下：
【化２】
2002541237.tif 000002
である、請求項１１に記載の化合物またはその薬学的に受容可能な塩もしくはプロドラッグ。
【請求項１３】  前記化合物が以下：
【化３】
2002541237.tif 000003
である、請求項１２に記載の化合物またはその薬学的に受容可能な塩もしくはプロドラッグ。
【請求項１４】  Ｒ3−Ｘ−Ｃ（Ｏ）−が蛍光性の基である、請求項１に記載の化合物またはその薬学的に受容可能な塩もしくはプロドラッグ。
【請求項１５】  前記蛍光性の基が以下：
【化４】
2002541237.tif 000004
である、請求項１４に記載の化合物またはその薬学的に受容可能な塩もしくはプロドラッグ。
【請求項１６】  前記化合物が以下：
【化５】
2002541237.tif 000005
からなる群より選択される、請求項１４に記載の化合物またはその薬学的に受容可能な塩もしくはプロドラッグ。
【請求項１７】  以下の式ＩＩを有する化合物、またはその薬学的に受容可能な塩もしくはプロドラッグであって：
【化６】
2002541237.tif 000006
ここで：
Ｒ1は、必要に応じて置換されたアルキルまたは水素であり；
Ｒ2は、水素または必要に応じて置換されたアルキルであり；
Ｘは、Ｏ、Ｓ、ＮＲ4、または（ＣＲ4Ｒ5）nであり、ここで、Ｒ4およびＲ5は、各場合において、水素、アルキル、およびシクロアルキルからなる群より独立して選択され、そしてｎは、０、１、２、または３であり；
Ｙは、天然または非天然のアミノ酸の残基であり；
Ａは、ＣＲ6または窒素であり；
Ｂは、ＣＲ7または窒素であり；
Ｃは、ＣＲ8または窒素であり；
Ｄは、ＣＲ9または窒素であり；
Ｅは、ＣＲ10または窒素であり；ただし、Ａ、Ｂ、Ｃ、Ｄ、およびＥのうちの３つ以下は窒素であり；そしてＲ6−Ｒ10は、独立して、水素、ハロ、Ｃ1−Ｃ6ハロアルキル、Ｃ6−Ｃ10アリール、Ｃ4−Ｃ7シクロアルキル、Ｃ1−Ｃ6アルキル、Ｃ2−Ｃ6アルケニル、Ｃ2−Ｃ6アルキニル、Ｃ6−Ｃ10アリール（Ｃ1−Ｃ6）アルキル、Ｃ6−Ｃ10アリール（Ｃ2−Ｃ6）アルケニル、Ｃ6−Ｃ10アリール（Ｃ2−Ｃ6）アルキニル、Ｃ1−Ｃ6ヒドロキシアルキル、ニトロ、アミノ、シアノ、Ｃ1−Ｃ6アシルアミノ、ヒドロキシ、Ｃ1−Ｃ6アシルオキシ、Ｃ1−Ｃ6アルコキシ、アルキルチオ、またはカルボキシであるか；あるいは
Ｒ6およびＲ7、Ｒ7およびＲ8、Ｒ8およびＲ9、Ｒ9およびＲ10のうちの１つは、それらが結合している炭素原子と一緒になって、以下からなる群より選択される炭素環式または複素環式を形成し：−ＯＣＨ2Ｏ−、−ＯＣＦ2Ｏ−、−（ＣＨ2）3−、−（ＣＨ2）4−、−ＯＣＨ2ＣＨ2Ｏ−、−ＣＨ2Ｎ（Ｒ13）ＣＨ2−、−ＣＨ2ＣＨ2Ｎ（Ｒ13）ＣＨ2−、−ＣＨ2Ｎ（Ｒ13）ＣＨ2ＣＨ2−、−Ｎ（Ｒ13）−ＣＨ＝ＣＨ−、−ＣＨ＝ＣＨ−Ｎ（Ｒ13）−、−Ｏ−ＣＨ＝ＣＨ−、−ＣＨ＝ＣＨ−Ｏ−、−Ｓ−ＣＨ＝ＣＨ−、−ＣＨ＝ＣＨ−Ｓ−、−Ｎ＝ＣＨ−ＣＨ＝ＣＨ−、−ＣＨ＝Ｎ−ＣＨ＝ＣＨ−、−ＣＨ＝ＣＨ−Ｎ＝ＣＨ−、−ＣＨ＝ＣＨ−ＣＨ＝Ｎ−、−Ｎ＝ＣＨ−ＣＨ＝Ｎ−、および−ＣＨ＝ＣＨ−ＣＨ＝ＣＨ−；ここで、Ｒ13は、水素、アルキル、またはシクロアルキルであるという条件であり；
ただし、ＸがＯであり、ＡがＣＲ6であり、ＢがＣＲ7であり、ＣがＣＲ8であり、ＤがＣＲ9であり、そしてＥがＣＲ10である場合、Ｒ6−Ｒ10のうちの少なくとも１つは水素ではないという条件である、
化合物またはその薬学的に受容可能な塩もしくはプロドラッグ。
【請求項１８】  Ｒ2が水素、フルオロメチル、アシルオキシメチル、アリールアシルオキシメチル、アリールオキシメチル、ホスフィニルオキシメチル、またはアミノメチルである、請求項１７に記載の化合物またはその薬学的に受容可能な塩もしくはプロドラッグ。
【請求項１９】  Ｒ1が水素、メチル、エチル、またはアセトキシメチルである、請求項１７に記載の化合物またはその薬学的に受容可能な塩もしくはプロドラッグ。
【請求項２０】  Ｙがバリン、イソロイシン、ロイシン、アラニン、フェニルアラニン、シクロヘキシルアラニン、２−アミノ酪酸、フェニルグリシン、またはシクロヘキシルグリシンである、請求項１７に記載の化合物またはその薬学的に受容可能な塩もしくはプロドラッグ。
【請求項２１】  ＸがＯであり、ＡがＣＲ6であり、ＢがＣＲ7であり、ＣがＣＲ8であり、ＤがＣＲ9であり、そしてＥがＣＲ10である、請求項１７に記載の化合物またはその薬学的に受容可能な塩もしくはプロドラッグ。
【請求項２２】  ＸがＯであり、そしてＡ、Ｂ、Ｃ、Ｄ、またはＥのうちの１つが窒素である、請求項１７に記載の化合物またはその薬学的に受容可能な塩もしくはプロドラッグ。
【請求項２３】  ＸがＣＨ2であり、ＡがＣＲ6であり、ＢがＣＲ7であり、ＣがＣＲ8であり、ＤがＣＲ9であり、そしてＥがＣＲ10である、請求項１７に記載の化合物またはその薬学的に受容可能な塩もしくはプロドラッグ。
【請求項２４】  以下の式ＩＩＩを有する化合物、またはその薬学的に受容可能な塩もしくはプロドラッグであって：
【化７】
2002541237.tif 000007
ここで：
Ｒ1は、必要に応じて置換されたアルキルまたは水素であり；
Ｒ2は、水素または必要に応じて置換されたアルキルであり；
Ｒ3は、アルキル基、飽和炭素環式基、部分的に飽和な炭素環式基、アリール基、飽和複素環式基、部分的に飽和な複素環式基、またはヘテロアリール基であって、ここで、該基は必要に応じて置換されており；そして
Ｙは、天然または非天然のアミノ酸の残基である、
化合物またはその薬学的に受容可能な塩もしくはプロドラッグ。
【請求項２５】  Ｒ1が水素、メチル、エチル、またはアセトキシメチルである、請求項２４に記載の化合物またはその薬学的に受容可能な塩もしくはプロドラッグ。
【請求項２６】  Ｒ2が水素、フルオロメチル、アシルオキシメチル、アリールアシルオキシメチル、アリールオキシメチル、ホスフィニルオキシメチル、またはアミノメチルである、請求項２４に記載の化合物またはその薬学的に受容可能な塩もしくはプロドラッグ。
【請求項２７】  Ｙがバリン、イソロイシン、ロイシン、アラニン、フェニルアラニン、シクロヘキシルアラニン、２−アミノ酪酸、フェニルグリシン、またはシクロヘキシルグリシンである、請求項２４に記載の化合物またはその薬学的に受容可能な塩もしくはプロドラッグ。
【請求項２８】  Ｒ3が直鎖状もしくは分枝状のＣ1-6アルキルである、請求項２４に記載の化合物またはその薬学的に受容可能な塩もしくはプロドラッグ。
【請求項２９】  Ｒ3は、ヒドロキシ、カルボキシ、ハロゲン、Ｃ4−Ｃ7シクロアルキル、飽和もしくは不飽和な複素環式基、アリール、またはヘテロアリールによって必要に応じて置換された、直鎖状もしくは分枝状のＣ1-6アルキルである、請求項２４に記載の化合物またはその薬学的に受容可能な塩もしくはプロドラッグ。
【請求項３０】  Ｒ3がメチルフェニルまたはジメチルアミノナフチルである、請求項２４に記載の化合物またはその薬学的に受容可能な塩もしくはプロドラッグ。
【請求項３１】  以下からなる群より選択される、請求項１に記載の化合物またはその薬学的に受容可能な塩もしくはプロドラッグ：
２−クロロベンジルオキシカルボニル−Ｖａｌ−Ａｓｐ−ｆｍｋ、
３−クロロベンジルオキシカルボニル−Ｖａｌ−Ａｓｐ−ｆｍｋ、
４−クロロベンジルオキシカルボニル−Ｖａｌ−Ａｓｐ−ｆｍｋ、
フェネトキシカルボニル−Ｖａｌ−Ａｓｐ−ｆｍｋ、
シクロヘキシルメトキシカルボニル−Ｖａｌ−Ａｓｐ−ｆｍｋ、
メトキシカルボニル−Ｖａｌ−Ａｓｐ−ｆｍｋ、
エトキシカルボニル−Ｖａｌ−Ａｓｐ−ｆｍｋ、
イソプロピルオキシカルボニル−Ｖａｌ−Ａｓｐ−ｆｍｋ、
２−クロロベンジルオキシカルボニル−Ｉｌｅ−Ａｓｐ−ｆｍｋ、
３−クロロベンジルオキシカルボニル−Ｉｌｅ−Ａｓｐ−ｆｍｋ、
４−クロロベンジルオキシカルボニル−Ｉｌｅ−Ａｓｐ−ｆｍｋ、
フェニルアセチル−Ｖａｌ−Ａｓｐ−ｆｍｋ、
４−ニトロベンジルオキシカルボニル−Ｖａｌ−Ａｓｐ−ｆｍｋ、
２，５−ジメチルベンジルオキシカルボニル−Ｖａｌ−Ａｓｐ−ｆｍｋ、
３，４−ジクロロベンジルオキシカルボニル−Ｖａｌ−Ａｓｐ−ｆｍｋ、
３，５−ジクロロベンジルオキシカルボニル−Ｖａｌ−Ａｓｐ−ｆｍｋ、
２，５−ジクロロベンジルオキシカルボニル−Ｖａｌ−Ａｓｐ−ｆｍｋ、
２，６−ジクロロベンジルオキシカルボニル−Ｖａｌ−Ａｓｐ−ｆｍｋ、
２，４−ジクロロベンジルオキシカルボニル−Ｖａｌ−Ａｓｐ−ｆｍｋ、
２，４−ジメチルベンジルオキシカルボニル−Ｖａｌ−Ａｓｐ−ｆｍｋ、
４−エチルベンジルオキシカルボニル−Ｖａｌ−Ａｓｐ−ｆｍｋ、
４−ブロモベンジルオキシカルボニル−Ｖａｌ−Ａｓｐ−ｆｍｋ、
４−フルオロベンジルオキシカルボニル−Ｖａｌ−Ａｓｐ−ｆｍｋ、
シクロペンチルメトキシカルボニル−Ｖａｌ−Ａｓｐ−ｆｍｋ、
４−トリフルオロメチルベンジルオキシカルボニル−Ｖａｌ−Ａｓｐ−ｆｍｋ、  ３−フェニルプロピオニル−Ｖａｌ−Ａｓｐ−ｆｍｋ、
ベンジルアミノカルボニル−Ｖａｌ−Ａｓｐ−ｆｍｋ、
３−フェニルプロピルオキシカルボニル−Ｖａｌ−Ａｓｐ−ｆｍｋ、
２，４−ジフルオロベンジルオキシカルボニル−Ｖａｌ−Ａｓｐ−ｆｍｋ、
３，４−ジフルオロベンジルオキシカルボニル−Ｖａｌ−Ａｓｐ−ｆｍｋ、
４−モルホリンカルボニル−Ｖａｌ−Ａｓｐ−ｆｍｋ、
４−ピリジルメトキシカルボニル−Ｖａｌ−Ａｓｐ−ｆｍｋ、
２−ピリジルメトキシカルボニル−Ｖａｌ−Ａｓｐ−ｆｍｋ、
２，６−ジクロロベンジルオキシカルボニル−Ｖａｌ−Ａｓｐ−ＤＣＢ−メチルケトン、
イソブトキシカルボニル−Ｖａｌ−Ａｓｐ−ｆｍｋ、
プロピオニル−Ｖａｌ−Ａｓｐ−ｆｍｋ、
ベンジル−グルタリル−Ｖａｌ−Ａｓｐ−ｆｍｋ、
グルタリル−Ｖａｌ−Ａｓｐ−ｆｍｋ、
３−（２−フェニルオキシフェニル）プロピオニル−Ｖａｌ−Ａｓｐ−ｆｍｋ、  ３−（５−ブロモ−２−ヒドロキシフェニル）プロピオニル−Ｖａｌ−Ａｓｐ−ｆｍｋ、
３−フルオロベンジルオキシカルボニル−Ｖａｌ−Ａｓｐ−ｆｍｋ、
２−フルオロベンジルオキシカルボニル−Ｖａｌ−Ａｓｐ−ｆｍｋ、
３−メチルベンジルオキシカルボニル−Ｖａｌ−Ａｓｐ−ｆｍｋ、
２−クロロ−４−フルオロベンジルオキシカルボニル−Ｖａｌ−Ａｓｐ−ｆｍｋ、および
２−ナフチルメトキシカルボニル−Ｖａｌ−Ａｓｐ−ｆｍｋ。
【請求項３２】  請求項２４に記載の化合物またはその薬学的に受容可能な塩もしくはプロドラッグであって、該化合物が以下：
ｐ−トルエンスルホニル−Ｖａｌ−Ａｓｐ−ｆｍｋ、および
ｐ−トルエンスルホニル−Ｐｈｅ−Ａｓｐ−ｆｍｋ
からなる群より選択される、化合物またはその薬学的に受容可能な塩もしくはプロドラッグ。
【請求項３３】  請求項１、１７、または２４に記載の化合物またはその薬学的に受容可能な塩もしくはプロドラッグおよび薬学的に受容可能なキャリアを含む、薬学的組成物。
【請求項３４】  細胞または組織の細胞死を阻害するための組成物であって、請求項１、１７、または２４に記載の化合物またはその薬学的に受容可能な塩もしくはプロドラッグの有効量を含む、組成物。
【請求項３５】  動物の中枢神経系もしくは末梢神経系、網膜ニューロン、心筋、または免疫系の細胞における細胞死を処置または改善するための組成物であって、請求項１、１７、または２４に記載の化合物またはその薬学的に受容可能な塩もしくはプロドラッグの有効量を含む、組成物。
【請求項３６】  請求項３５に記載の組成物であって、ここで前記細胞死が、中枢神経系もしくは末梢神経系における細胞死であり、そして以下：
（ａ）発作に起因する局所性虚血、および心停止に起因する全身性虚血からなる群より選択される、虚血および興奮毒性の状態；
（ｂ）外傷性損傷；
（ｃ）ウイルス感染；
（ｄ）放射線誘発性神経細胞死；
（ｅ）アルツハイマー病、パーキンソン病、プリオン病、多発性硬化症、筋萎縮性側索硬化症、および脊髄延髄萎縮症からなる群より選択される、神経変性疾患；
（ｆ）脊髄損傷；または
（ｇ）急性細菌性髄膜炎
の１つに起因する、組成物。
【請求項３７】  請求項３５に記載の組成物であって、ここで、前記細胞死が、中枢神経系または末梢神経系における細胞死であり、そして特定の遺伝子のトリヌクレオチド反復の伸張に起因する、組成物。
【請求項３８】  前記細胞死がハンティングトン病に起因する、請求項３５に記載の組成物。
【請求項３９】  請求項３５に記載の組成物であって、ここで、前記細胞死が、心筋組織における細胞死であって、そして心筋梗塞、うっ血性心不全、心筋症、または心臓のウイルス感染に起因する、組成物。
【請求項４０】  請求項３５に記載の組成物であって、ここで、前記細胞死が、網膜神経における細胞死であって、そして眼内圧の増加、加齢に伴う筋肉の退化、または色素性網膜炎に起因する、組成物。
【請求項４１】  請求項３５に記載の組成物であって、ここで、前記細胞死が、免疫系における細胞死であって、そして以下：後天性免疫不全症候群、重篤な複合免疫不全症候群、および放射線誘発免疫抑制からなる群より選択される免疫不全障害に起因する、組成物。
【請求項４２】  請求項３５に記載の組成物であって、ここで、前記細胞死が、以下：エリテマトーデス、慢性関節リウマチ、およびＩ型糖尿病からなる群より選択される免疫不全障害に起因する、組成物。
【請求項４３】  前記細胞死がＩ型糖尿病に起因する、請求項４２に記載の組成物。
【請求項４４】  動物における多発性嚢胞腎疾患、腎アミロイドーシス、急性腎不全、シクロスポリンＡ誘発性の管状上皮細胞死、腎臓近位細管の低酸素誘発性壊死、ＨＩＶ誘発性腎症、もしくは貧血／赤血球生成を処置または予防するための組成物であって、請求項１、１７、または２４に記載の化合物またはその薬学的に受容可能な塩もしくはプロドラッグの有効量を含む、組成物。
【請求項４５】  正常な血液供給の喪失に起因する細胞死から哺乳動物の器官または組織を保護するための組成物であって、請求項１、１７、または２４に記載の化合物またはその薬学的に受容可能な塩もしくはプロドラッグの有効量を含む、組成物。
【請求項４６】  請求項４５に記載の組成物であって、ここで、前記器官または組織が、哺乳動物への移植の前に貯蔵培地中に存在する、組成物。
【請求項４７】  前記組織が胚黒質組織である、請求項４５に記載の組成物。
【請求項４８】  請求項４５に記載の組成物であって、ここで、前記組成物が、前記化合物の前記器官もしくは組織への注入、または該器官もしくは組織を、該化合物を含む貯蔵培地中に浸すことに適している、組成物。
【請求項４９】  宿主に移植された後の、再灌流障害の影響に起因するかまたは宿主免疫細胞の影響に起因する、ドナーの器官または組織における細胞死を減少または予防するための組成物であって、請求項１、１７、または２４に記載の化合物またはその薬学的に受容可能な塩もしくはプロドラッグの有効量を含む、組成物。
【請求項５０】  インビトロ増殖手順において使用される、哺乳動物の精子および卵子の死を減少または予防するための組成物であって、請求項１、１７、または２４に記載の化合物またはその薬学的に受容可能な塩もしくはプロドラッグの有効量を含む、組成物。
【請求項５１】  哺乳動物または酵母細胞株の寿命を延長する方法であって、該方法は、該細胞株を請求項１、１７、または２４に記載の化合物またはその薬学的に受容可能な塩もしくはプロドラッグと接触させる工程を包含する、方法。
【請求項５２】  請求項５１に記載の方法であって、ここで、前記接触させる工程が、前記化合物を細胞増殖培地中に含む工程を包含する、方法。
【請求項５３】  哺乳動物における脱毛症または毛髪の早期白髪化を処置または改善するための組成物であって、請求項１、１７、または２４に記載の化合物またはその薬学的に受容可能な塩もしくはプロドラッグを含む、組成物。
【請求項５４】  請求項５３に記載の組成物であって、ここで、脱毛症が処置され、そして該脱毛症が男性型禿頭症、放射線、化学療法、または情動ストレスに起因する、組成物。
【請求項５５】  高レベル放射線、熱、または化学物質への曝露に起因する哺乳動物の皮膚損傷を処置または改善するための組成物であって、請求項１、１７、または２４に記載の化合物またはその薬学的に受容可能な塩もしくはプロドラッグを含む、組成物。
【請求項５６】  請求項５５に記載の組成物であって、ここで、前記化合物が軟膏剤の一部として適用される、組成物。
【請求項５７】  請求項５５に記載の組成物であって、ここで、前記皮膚損傷が太陽への急激な過剰曝露に起因し、そして前記処置が皮膚の水疱形成および剥脱を減少する、組成物。
【請求項５８】  動物におけるセプシスまたは複数器官不全を処置または改善するための組成物であって、請求項１、１７、または２４に記載の化合物またはその薬学的に受容可能な塩もしくはプロドラッグの有効量を含む、組成物。
【請求項５９】  動物における肝炎を処置または改善するための組成物であって、請求項１、１７、または２４に記載の化合物またはその薬学的に受容可能な塩もしくはプロドラッグの有効量を含む、組成物。
【請求項６０】  動物における遺伝性チロシン血症１型を処置または改善するための組成物であって、請求項１、１７、または２４に記載の化合物またはその薬学的に受容可能な塩もしくはプロドラッグの有効量を含む、組成物。
【請求項６１】  動物における慢性アルコール摂取誘発性頬粘膜細胞死を処置または改善するための組成物であって、請求項１、１７、または２４に記載の化合物またはその薬学的に受容可能な塩もしくはプロドラッグの有効量を含む、組成物。
【請求項６２】  植物または花における細胞死を処置または改善する方法であって、該方法は、このような処置または改善を必要とする植物または花に、請求項１、１７、または２４に記載の化合物またはその薬学的に受容可能な塩もしくはプロドラッグの有効量を投与する工程を包含する、方法。
【請求項６３】  動物における放射線または紫外線照射誘発性細胞死を処置または改善するための組成物であって、請求項１、１７、または２４に記載の化合物またはその薬学的に受容可能な塩もしくはプロドラッグの有効量を含む、組成物。
【請求項６４】  骨髄形成異常症候群（ＭＤＳ）における骨髄細胞のアポトーシス死を処置または改善するための組成物であって、請求項１、１７、または２４に記載の化合物またはその薬学的に受容可能な塩もしくはプロドラッグの有効量を含む、組成物。
【請求項６５】  急性膵炎におけるアポトーシス細胞死を処置または改善するための組成物であって、請求項１、１７、または２４に記載の化合物またはその薬学的に受容可能な塩もしくはプロドラッグの有効量を含む、組成物。
【請求項６６】  乾癬または炎症性腸疾患における炎症性応答を処置または予防するための組成物であって、請求項１、１７、または２４に記載の化合物またはその薬学的に受容可能な塩もしくはプロドラッグの有効量を含む、組成物。
【請求項６７】  火傷損傷後に器官アポトーシスを処置または改善するための組成物であって、請求項１、１７、または２４に記載の化合物またはその薬学的に受容可能な塩もしくはプロドラッグの有効量を含む、組成物。
【請求項６８】  腸虚血再灌流後の小腸組織損傷を処置または改善するための組成物であって、請求項１、１７、または２４に記載の化合物またはその薬学的に受容可能な塩もしくはプロドラッグの有効量を含む、組成物。
【請求項６９】  癌の化学療法または放射線治療から生じる、動物における口腔粘膜炎、胃腸粘膜炎、膀胱粘膜炎、直腸炎、骨髄細胞死、皮膚細胞死、または脱毛症を処置、改善、または予防するための組成物であって、請求項１、１７、または２４に記載の化合物またはその薬学的に受容可能な塩もしくはプロドラッグの有効量を含む、組成物。
【請求項７０】  請求項６９に記載の組成物であって、ここで、該組成物が、局所的投与または経口投与に適している、組成物。
【請求項７１】  請求項７０に記載の組成物であって、ここで、前記組成物が、口腔粘膜炎の処置、改善、または予防のためのうがい薬の一部として処方される、組成物。
【請求項７２】  請求項７０に記載の組成物であって、ここで、該組成物が、徐放性口腔内舐剤の一部として処方される、組成物。
【請求項７３】  請求項７０に記載の組成物であって、ここで、該組成物が、坐剤の一部として処方される、組成物。
【請求項７４】  請求項７０に記載の組成物であって、ここで、該組成物が、ゲルの一部として処方される、組成物。
【請求項７５】  請求項７０に記載の組成物であって、ここで、該組成物が、膀胱粘膜炎の処置、改善、または予防のための膀胱カテーテルを通して投与されるのに適している、組成物。
【請求項７６】  請求項７０に記載の組成物であって、ここで、該組成物が、直腸炎の処置、改善、または予防のための浣腸の一部として投与されるのに適している、組成物。
【請求項７７】  請求項７０に記載の組成物であって、ここで、該組成物が、胃腸粘膜炎の処置、改善、または予防のための、胃腸表面をコーティングし得る経口処方物として処方される、組成物。
【請求項７８】  請求項６９に記載の組成物であって、ここで、前記胃腸粘膜炎が、食道粘膜炎、胃粘膜炎、または腸粘膜炎である、組成物。
【請求項７９】  請求項６９に記載の組成物であって、ここで、該組成物が、骨髄細胞死の処置、改善、または予防のための静脈注射によって投与されるのに適している、組成物。
【請求項８０】  請求項６９に記載の組成物であって、ここで、該組成物が、薬学的に受容可能なキャリアを含む、組成物。
【請求項８１】  請求項６９に記載の組成物であって、ここで、該組成物が、前記動物における癌の化学療法または放射線治療の後に投与されるのに適している、組成物。
【請求項８２】  請求項６９に記載の組成物であって、ここで、該組成物が、前記動物における癌の化学療法または放射線治療の間に投与されるのに適している、組成物。
【請求項８３】  請求項６９に記載の組成物であって、ここで、該組成物が、前記動物における癌の化学療法または放射線治療の前に投与されるのに適している、組成物。